(57)【要約】【課題】  合紙（あいし）挿入機能を持つ画像形成装置において、合紙と転写紙の合流地点より下流で紙詰まりが発生したときに合紙を効率的に処理する方法は無かった。【解決手段】  紙詰まりが発生したときには、紙詰まりの発生位置を検知して、紙詰まり位置が合紙と転写紙の合流地点で発生した時には、合紙の挿入位置に定めが無い場合は合紙を停止位置で保持して、紙詰まりが取り除かれた後に再度合紙を挿入する動作を継続し、合紙の挿入位置に定めが有る場合は、合紙を取り除いて再セットする様ユーザに通知することにより問題を解決した。【選択図】図３
2008127175.tif 000002
【特許請求の範囲】
【請求項１】
転写紙と転写紙の間に合紙を挿入可能な機能を有する画像形成装置において
紙詰まりが発生した際に、前記転写紙と前記合紙の合流点より下流において発生したかどうかを判断する、紙詰まり発生位置判断部と、
合紙の挿入順序に定めが有るか無いかを判断する、合紙挿入順序判断部と
前記紙詰まり発生位置判断部が紙詰まりの発生位置を前記合流点より下流と判断し、かつ前記合紙挿入順序判断部により合紙の挿入順序に定めが無いと判断した場合には、装置内で停止している合紙を搬送動作再開まで停止位置で保持するよう制御し、前記紙詰まり発生位置判断部が紙詰まりの発生位置を前記合流点より下流と判断し、かつ前記合紙挿入順序判断部により合紙の挿入順序に定めが有ると判断した場合には、装置内で停止している合紙を取り除いて合紙トレイに戻すようユーザに通知する制御部とを有する
ことを特徴とする画像形成装置。
【請求項２】
請求項１の画像形成装置であって、
前記制御部は、前記紙詰まり発生位置判断部が紙詰まりの発生位置を前記合流点より下流と判断し、かつ前記合紙挿入順序判断部により合紙の挿入順序に定めが無いと判断した場合には、装置内で停止している合紙を停止位置で保持する旨ユーザに通知する
ことを特徴とする画像形成装置。
【請求項３】
請求項１または２の画像形成装置であって、
前記合紙挿入順序判断部は、合紙の挿入順序に定めが有るか無いかを合紙の挿入位置設定により自動判断する
ことを特徴とする画像形成装置。
【発明の詳細な説明】
【技術分野】
【０００１】
画像形成装置において、転写紙と転写紙の間に合紙（あいし）を挿入して排紙する合紙挿入機能を有する画像形成装置に係わり、特に転写紙のジャムが発生した際の処理技術に関する画像形成装置。
【背景技術】
【０００２】
従来、転写紙と転写紙の間に合紙（あいし）を挿入して排紙する合紙挿入機能を画像形成装置に導入し表表紙や内表紙や裏表紙などを合紙として挿んで冊子を作成する技術がある。
【０００３】
この合紙挿入機能を持った画像形成装置において、紙詰まり（ジャム）が発生した際にどのように処理するかについて、転写紙のジャムが発生した際には合紙を自動的に排紙させる方法があった（特許文献１参照）。
【０００４】
しかし、この方法では、合紙の搬送経路と転写紙の搬送経路との合流点より下流でジャムが発生したときの処理についての方法は無かった。
【０００５】
【特許文献１】特開２００３−２８０３０４号公報
【発明の開示】
【発明が解決しようとする課題】
【０００６】
解決しようとする問題点は、合紙挿入機能を持つ画像形成装置において、合紙の搬送経路と転写紙の搬送経路との合流点より下流でジャムが発生したときに合紙を効率よく処理する方法を通知することができなかった点である。
【課題を解決するための手段】
【０００７】
本発明の画像形成装置は、転写紙と転写紙の間に合紙を挿入可能な機能を有する画像形成装置において紙詰まりが発生した際に、前記転写紙と前記合紙の合流点より下流において発生したかどうかを判断する紙詰まり発生位置判断部と合紙の挿入順序に定めが有るか無いかを判断する合紙挿入順序判断部と前記紙詰まり発生位置判断部が紙詰まりの発生位置を前記合流点より下流と判断し、かつ前記合紙挿入順序判断部により合紙の挿入順序に定めが無いと判断した場合には、装置内で停止している合紙を停止位置で保持するよう制御し、前記紙詰まり発生位置判断部が紙詰まりの発生位置を前記合流点より下流と判断し、かつ前記合紙挿入順序判断部により合紙の挿入順序に定めが有ると判断した場合には、装置内で停止している合紙を取り除いて合紙トレイに戻すようユーザに通知する制御部とを有することを最も主要な特徴とする。
【発明の効果】
【０００８】
本発明の画像形成装置は、転写紙と転写紙の間に合紙を挿入可能な機能を有する画像形成装置において紙詰まりが発生した際に、前記転写紙と前記合紙の合流点より下流において発生したかどうかを判断する紙詰まり発生位置判断部と合紙の挿入順序に定めが有るか無いかを判断する合紙挿入順序判断部と前記紙詰まり発生位置判断部が紙詰まりの発生位置を前記合流点より下流と判断し、かつ前記合紙挿入順序判断部により合紙の挿入順序に定めが無いと判断した場合には、装置内で停止している合紙を停止位置で保持するよう制御し、前記紙詰まり発生位置判断部が紙詰まりの発生位置を前記合流点より下流と判断し、かつ前記合紙挿入順序判断部により合紙の挿入順序に定めが有ると判断した場合には、装置内で停止している合紙を取り除いて合紙トレイに戻すようユーザに通知する制御部とを有することを最も主要な特徴とするため、紙詰まりが前記合流点より下流で発生した場合で、かつ合紙の挿入順序に定めが無い場合には、装置内で停止している合紙を取り除く必要が無くなり、紙詰まり処理が簡単化された。
【発明を実施するための最良の形態】
【０００９】
合紙挿入機能を持つ画像形成装置において、合紙の搬送経路と転写紙の搬送経路との合流点より下流でジャムが発生したときに合紙を効率よく処理する方法を通知することができなかった問題を、紙詰まりが発生した位置が合紙の搬送経路と転写紙の搬送経路との合流点より下流で発生した際には、合紙の挿入順序に定めが有る無しによって異なる合紙の処理方法をユーザに通知する方法により解決した。
【実施例１】
【００１０】
［構成］
図１は、本発明の実施例に係わる画像形成装置の機能ブロック図である。
【００１１】
画像形成装置１００は、以下の機能ブロックを有する。紙詰まり発生位置判断部１１、合紙挿入順序判断部１３、表示部１５、入力部１７、制御部１９。
【００１２】
紙詰まり発生位置判断部１１は、画像形成装置１００の内部で紙詰まりが発生した際に、転写紙搬送経路２１３（図２）及び転写紙合紙搬送経路２１５（図２）中に配されたセンサ及び前記経路中のローラの回転情報を基に、紙詰まりが発生した位置が合紙と転写紙の合流点Ａ２０５（図２）より上流であるか下流であるかを判断する。
【００１３】
合紙挿入順序判断部１３は、合紙の挿入位置を入力部１７からの入力により設定した際に、合紙の挿入位置及び合紙用紙の選択などから、合紙の挿入順序に定めがあるか無いかを判断する。
【００１４】
表示部１５は、紙詰まりが発生した際に転写紙と合紙をどのように処理するかについての表示を行う。
【００１５】
入力部１７は、画像形成装置の操作及び設定を行うための入力を行うとともに、合紙を挿入する際に合紙の挿入位置、異なる合紙を挿入させる場合には、その設定を行う。
【００１６】
制御部１９は、画像形成装置１００の各部の制御を行うと共に、上記紙詰まり発生位置判断部１１及び合紙挿入順序判断部１３からの情報を基に合紙の処理をどのようにするかを表示部１５を通じてユーザに通知する。
【００１７】
図２は、本発明の実施例に係わる画像形成装置の側面概略図である。図２を用いて、転写紙と合紙が重なり合わされて排出される過程について説明する。
【００１８】
画像形成装置１００は、画像形成装置本体１０１と後処理装置１０３とから構成されている。
【００１９】
画像形成装置本体１０１には、給紙トレイ２１１が備わっており、給紙トレイ２１１から給紙された転写紙が現像定着部（図示省略）において画像を転写及び定着されて、転写紙搬送経路２１３を通り後処理装置１０３に入る。
【００２０】
後処理装置１０３には、合紙トレイ２０１が備わっており、合紙トレイから給紙された合紙は、合紙の停止位置２０３で停止して待機しており、合紙が挿入される位置の転写紙が合流点Ａ２０５に運ばれてきたときに、停止位置２０３から搬送されて、合流点Ａ２０５において転写紙と重なり合わされて、転写紙合紙搬送経路２１５を通って中間トレイ２１７に至り、ステイプル処理などの後処理が行われ、排出トレイ２０９に排出される。
【００２１】
［紙詰まり（ジャム）発生時の処理］
図２は、紙詰まりが発生した際の処理についての説明図である。
【００２２】
まず、図２（Ａ）を用いて、合紙の挿入順序が定まっていない場合について説明する。挿入される合紙が例えば一枚である場合や、挿入される合紙の枚数が複数枚であるが、すべて例えば同色の色用紙であり、どの合紙がどの指定挿入位置に挿入されても構わない場合（合紙の挿入順序が定まっていない場合）には、図２（Ａ）のように転写紙の２枚目でジャムが発生した場合には、以下のように処理する。
【００２３】
（Ａ１）装置内で停止している合紙を停止位置で保持しておく。
【００２４】
（Ａ２）紙詰まりした用紙を取り除く旨ユーザに通知する。
【００２５】
（Ａ３）紙詰まり解除後、停止位置から合紙の搬送を再開させる。
【００２６】
次に、合紙の挿入順序が定まっている場合について、図２（Ｂ）を用いて説明する。挿入される合紙が例えば挿入される位置毎に色の違う用紙が挿入される場合のように、どの合紙がどの挿入位置に入るかが定まっている場合、例えば、図２（Ｂ）に示すように、２枚目に入る合紙１と５枚目入る合紙２と８枚目に入る合紙３が異なる用紙である場合には、図２（Ｂ）のように、３枚目の転写紙で紙詰まりが発生した場合には、
（Ｂ１）装置内で停止している合紙を取り除き、合紙トレイに戻す旨をユーザに通知する。
【００２７】
（Ｂ２）紙詰まりした用紙を取り除く旨ユーザに通知する。
【００２８】
（Ｂ３）紙詰まり解除後、合紙トレイから合紙を搬送させて、転写紙と転写紙の間に合紙を挿入する。
【００２９】
［フローチャート］
図３のフローチャートを用いて、画像形成装置の紙詰まり（ジャム）発生時の処理について説明する。
【００３０】
Ｓ１１：ジャムが発生したかどうかを判断する。ジャムが発生すると動作をＳ１３に移行する。
【００３１】
Ｓ１３：転写紙及び合紙の搬送を停止する。
【００３２】
Ｓ１５：ジャムの発生箇所が合流点Ａ（図１の２０５）より下流側であるかどうかを判断する。下流側の場合、動作をＳ１７に移行する。上流側の場合は、動作をＳ２１に移行する。
【００３３】
Ｓ１７：合紙の挿入順序の区別があるかどうかを判断する。区別がある場合は、動作をＳ３１に移行する。無い場合は、動作をＳ１９に移行する。
【００３４】
Ｓ１９：画像形成装置の表示パネルに『合紙を停止位置で保持する』旨のメッセージを表示する。
【００３５】
表示以降は、通常のジャム時の処理と同様に、詰まってしまった転写紙を取り除いて装置を再動作させる。
【００３６】
Ｓ２１：ジャムの発生箇所が合流点Ａ（図１の２０５）より上流側のときは、通常のジャム処理（ジャムの発生を表示パネルで表示して、ユーザにジャム紙を取り除くように促す。）を行う。
【００３７】
Ｓ３１：合紙の挿入順序の区別がある場合には、画像形成装置の表示パネルに『合紙を取り除いて、合紙の再セットを行ってください』とユーザに処理を促すメッセージを表示する。
【００３８】
［実施例の効果］
本発明実施例の画像形成装置により、合紙挿入機能を持つ画像形成装置において紙詰まりが発生した際に、ユーザが紙詰まりの処理をどのように行うかを適切に通知されることになった。そのため、これまでは、合紙挿入での紙詰まりが発生した際に、紙詰まりを取り除くと共に待機中の紙詰まりを起こしていない合紙までも取り除いて、合紙トレイに再度セットして画像形成動作を行う必要があったが、本発明では、紙詰まりが合流点より下流でかつ合紙の挿入順序に定めが無い場合は、紙詰まりを取り除くだけで動作を再開させることが可能となった。
【００３９】
また、合紙の挿入順序に定めが有る場合には、表示部を通してユーザに合紙も取り除くように通知するため、ユーザは適切に処理を行うことが可能となった。
【図面の簡単な説明】
【００４０】
【図１】画像形成装置の機能ブロック図である（実施例１）。
【図２】画像形成装置の側面概略図である（実施例１）。
【図３】転写紙と合紙のジャム発生時の処理（実施例１）。
【図４】画像形成装置のジャム処理動作のフローチャートである（実施例１）。
【符号の説明】
【００４１】
１１  紙詰まり発生位置判断部
１３  合紙挿入順序判断部
１５  表示部
１７  入力部
１９  制御部
１００  画像形成装置
１０１  画像形成装置本体
１１１  後処理装置
２０１  合紙トレイ
２０３  停止位置
２０５  合流点Ａ
２０７  ジャム位置
２０９  排出トレイ
２１１  給紙トレイ
２１３  転写紙搬送経路（画像形成装置本体内）
２１５  転写紙合紙搬送経路（後処理装置内）
２１７  中間トレイ
【図１】
2008127175.tif 000003
【図２】
2008127175.tif 000004
【図３】
2008127175.tif 000005
【図４】
2008127175.tif 000006